(57)【要約】丸み付けられた端の周りに巻き付けられることによって形成器の周りに巻き付けられた衣服がしわにならないように丸み付けられた対向する端（８、９）を備える本体（６）を有する形成器（３）を含む衣服運搬装置が開示される。形成器は、好ましくは、１つの端から延びる襟支持体（７）、およびその側部および任意にその他の端に沿って延びる丸み付けられた端を有する概して長方形の形状である。シャツは、ボタンがけされたシャツの正面を下に広げ、形成器を、襟支持体が襟の後部の中にある状態で、シャツの後部上に配置し、丸み付けられた端の周りに袖を折り畳むことによって、形成器に搭載される。各袖は、形成器上で折り畳まれ、およびシャツのテールは、最終的に、襟支持体から遠く離れた形成器の端の上で折り畳まれる。シャツおよび形成器は、次いで、運送のために保護容器（４）内に配置され、クッション付きのブロック（２０）によって容器内に位置付けられる。保護容器は、防水性であってもよく、および自転車に対して固定されるのに適していてもよい。
2013506477.tif 000002
【特許請求の範囲】
【請求項１】
シャツまたはブラウスを運送するための運送組立品であって、シャツ形成器および該シャツ形成器を受容するのに適した容器を含み、該シャツ形成器は：
その周りにシャツが折り畳まれていてもよい本体部分であって、前面および後面、上端および下端、ならびに対向する側端を有する本体部分；および
前記本体部分の前記上端から延びる襟支持体；を含み、
ここで、前記本体部分の前面は、前記襟支持体が前記シャツの襟の後部に受容されている状態で、前記シャツの後部の外側と係合するのに適しており、
およびここで、前記本体部分の前記対向する側端および前記下端は、前記側端および下端の周りに折り畳まれたシャツがそれらによってしわができないような外部曲率半径を示すように、実質的に円筒形状に形成されていることを特徴とする運送組立品。
【請求項２】
シャツ形成器の前記本体部分は、実質的に平面的であり、およびシート材料から形成されており；
前記本体部分の前記対向する側端および前記下端は前記シャツ形成器の前記本体部分と比べて厚いことを特徴とする請求項１に記載の運送組立品。
【請求項３】
前記形成器の前記本体部分は実質的に長方形の平面的な要素であり、および円筒形状の要素が前記平面的な本体部分の前記側端に対して取り付けられていることを特徴とする請求項２に記載の運送組立品。
【請求項４】
前記円筒形状の要素は、弾力性材料から形成されることを特徴とする請求項３に記載の運送組立品。
【請求項５】
前記円筒形状の要素は、膨張可能な管であることを特徴とする請求項３に記載の運送組立品。
【請求項６】
前記本体部分は、実質的に長方形の平面的な要素であり；
前記丸み付けられた側端は、前記本体部分の前記側端領域を曲げることにより、前記平面的な本体部分と一体的に形成されることを特徴とする請求項１に記載の運送組立品。
【請求項７】
前記シャツ形成器は、間隔を空けた前壁および後壁を有す管状構造体であり、各壁は、上端および下端ならびに対向する側端を有し、前記前壁および後壁のそれぞれの側端および下端は外側に凸状に曲げられた側壁によって結合されており、および前記襟支持体は前記前壁の前記上端から延びていることを特徴とする請求項１に記載の運送組立品。
【請求項８】
前記シャツ形成器は、その後面に、折り畳まれたシャツを前記形成器の適所に保持するのに適した保持クリップを備えることを特徴とする請求項１から８のいずれか一項に記載の運送組立品。
【請求項９】
前記保持クリップは、前記形成器の前記本体に蝶番によって取り付けられていることを特徴とする請求項８に記載の運送組立品。
【請求項１０】
前記容器は、前記シャツおよび前記形成器が前記容器の内側に配置されたときに、前記シャツの少なくとも一部を覆うのに適した剛体の側壁を有することを特徴とする請求項１から９のいずれか一項に記載の運送組立品。
【請求項１１】
前記容器は、少なくとも１つの可撓性または弾力性の側壁を有することを特徴とする請求項１から１０のいずれか一項に記載の運送組立品。
【請求項１２】
前記容器は、実質的に剛体の容器であることを特徴とする請求項１から１０のいずれか一項に記載の運送組立品。
【請求項１３】
前記容器は、外部取付手段を含むことを特徴とする請求項１から１２のいずれか一項に記載の運送組立品。
【請求項１４】
前記容器は、前記容器内にシャツおよび形成器を位置決めするための、内部クッション性および位置決め手段含むことを特徴とする請求項１から１３のいずれか一項に記載の運送組立品。
【請求項１５】
前記容器は、前記シャツおよび形成器を前記容器内に導入するための開口部を有し、および前記シャツ形成器および前記容器は、前記容器内への前記形成器の導入が、前記容器の前記先細の側と、前記形成器上に巻かれたシャツとの間の係合をもたらして、前記シャツおよび形成器を前記容器内に位置付けることを特徴とする請求項１から１４のいずれか一項に記載の運送組立品。
【請求項１６】
前記シャツ形成器は、前記容器の前記内面上の相補的な構成を係合して、前記形成器を前記容器内の所定の位置に位置付けることを特徴とする請求項１から１５のいずれか一項に記載の運送組立品。
【請求項１７】
前記シャツ形成器は、シャツまたはブラウスを収容するように寸法付けられていることを特徴とする請求項１から１６のいずれか一項に記載の運送組立品。
【請求項１８】
輸送の間にシャツの少なくとも前部の仕上がりを保存するためのシャツ形成器であって、該シャツ形成器は：
その周りにシャツが折り畳まれていてもよい本体部分であって、前面および後面、上端および下端、ならびに対向する側端を有する本体部分；を含み、
ここで、前記前面は、シャツの後部と係合するのに適しており、および前記シャツの襟の後部に受容されるのに適した襟支持体が、前記本体部分の前記前面の前記上端から延び；および
ここで、前記本体部分の前記対向する側端および前記下端は、前記側端および下端の周りに折り畳まれたシャツがそれらによってしわができないような外部曲率半径を示すように、実質的に円筒形状に形成されていることを特徴とするシャツ形成器。
【請求項１９】
前記本体部分は、実質的に長方形の平面的な要素であり、および前記側端は、前記本体部分の前記端領域を曲げることにより、前記平面的な本体部分と一体的に形成されることを特徴とする請求項１８に記載のシャツ形成器。
【請求項２０】
前記本体部分は実質的に長方形の平面的な要素であり、および円筒形状の要素が前記平面的な本体部分の前記側端に対して取り付けられていることを特徴とする請求項１８に記載のシャツ形成器。
【請求項２１】
前記円筒形状の要素は、弾力性材料から形成されることを特徴とする請求項２０に記載のシャツ形成器。
【請求項２２】
前記円筒形状の要素は、膨張可能な管であることを特徴とする請求項２０に記載のシャツ形成器。
【請求項２３】
前記本体部分は、間隔を空けた前壁および後壁を有す管状構造体であり、各壁は、上端および下端ならびに対向する側端を有し、前記前壁および後壁のそれぞれの側端および下端は外側に凸状に曲げられた側壁によって結合されており、および前記襟支持体は前記前壁の前記上端から延びていることを特徴とする請求項１８に記載のシャツ形成器。
【請求項２４】
前記襟支持体に取り付けられ、およびシャツ襟内に受容されるのに適した襟ストラップをさらに含むことを特徴とする請求項１８から２３のいずれか一項に記載のシャツ形成器。
【請求項２５】
前記襟ストラップは、前記襟支持体に解除可能に取り付けられることを特徴とする請求項２４に記載のシャツ形成器。
【請求項２６】
折り畳まれたシャツを前記形成器の前記本体部分に対して維持する働きをする保持手段をさらに含むことを特徴とする請求項１８から２５のいずれか一項に記載のシャツ形成器。
【請求項２７】
前記保持手段は、前記形成器の前記本体部分に搭載された弾力性の要素を含むことを特徴とする請求項２６に記載のシャツ形成器。
【請求項２８】
前記保持手段は、１つの端において前記襟支持体に取り付けられ、およびシャツを係合するために他の端において係合手段を有するストラップを含むことを特徴とする請求項２６に記載のシャツ形成器。
【請求項２９】
前記係合手段は、シャツのボタンと協働可能なボタン穴を含むことを特徴とする請求項２８に記載のシャツ形成器。
【請求項３０】
前記係合手段は、クリップを含むことを特徴とする請求項２６に記載のシャツ形成器。
【請求項３１】
前記保持クリップは、蝶番によって前記形成器の前記本体に取り付けられることを特徴とする請求項３０に記載のシャツ形成器。
【請求項３２】
請求項１に記載のシャツ運送組立品を用いてシャツまたはブラウスを運送する方法であって、：
前面側を下にして前記シャツを置く工程と；
シャツ形成器を、その前面が前記シャツの後部に接触しおよびその襟支持体が前記シャツの襟を係合する状態で、置く工程と；
前記シャツの１つの袖および１つの側を、前記形成器の前記本体を覆うように、前記形成器の１つの側端の周りに折り畳む工程と；
前記１つの袖を、それが前記形成器の前記側端の間にあるように折り畳む工程と；
前記シャツの他の袖および他の側を、前記形成器の前記本体を覆うように、前記形成器の他の側端の周りに折り畳む工程と；
前記他の端を、それが前記形成器の前記側端の間にあるように折り畳む工程と；
前記形成器の前記下端の周りの前記シャツのより下方の部分に関して、前記折り畳まれた袖を覆う工程と；
前記折り畳まれたシャツおよび形成器を容器内に置く工程と；および
前記シャツ運送組立品およびシャツを目的地に運送する工程と、
を含む方法。
【請求項３３】
前記シャツ運送組立品の前記容器は、前記シャツの少なくとも一部を覆うのに適した剛体の側壁を有し、およびここで、前記折り畳まれたシャツおよび形成器を前記容器内に設置する工程は、前記折り畳まれたシャツおよび形成器を、前記折り畳まれたシャツの前部が前記容器の前記剛体の側壁に隣接する状態で、配置することを含むことを特徴とする請求項３２に記載のシャツまたはブラウスを運送する方法。
【請求項３４】
実質的に添付図面の図２、図３、図５、図６および図７を参照して明細書に記載されるシャツ形成器。
【請求項３５】
実質的に添付図面の図１から図３、図４、図５、図６および図７、図８または図９を参照して明細書に記載されるシャツ運送組立品。
【請求項３６】
実質的に明細書に記載されるシャツを運送する方法。
【発明の詳細な説明】
【技術分野】
【０００１】
本発明は、衣服運送に関し、および特に、衣服がしわにならずに運送されることを可能にする衣服運送装置を提供することに関係する。
【背景技術】
【０００２】
オフィスで働く多くの人々は、就労時間中に正装するように期待されている。通勤に公共輸送機関または自動車を避け、その代わりに、スポーツの服装でのサイクリングまたはジョギングを選択し、到着するとビジネスウエアに着替える人々が増えている。このより精力的な生活様式を採用して、ビジネス用の服装（business attire）を、認容可能な体裁の状態に維持しながら、オフィスにどのように運送するかの問題が生じている。シャツ、ブラウス、または他の衣服は、最初に如何に注意深く畳もうとも、例えば、任意の距離にわたってユーザーがジョギングしまたはサイクリングしている間に、もしそれがリュックサックに詰められており揺らされたら、しわになる可能性が高い。
【発明の概要】
【発明が解決しようとする課題】
【０００３】
遠距離通勤者、または泊りがけの出張旅行者にとって、シャツまたはブラウスのようなビジネスウエアの外観を保つことは、そのような衣服をスーツケースに注意深く詰めることをこれまで必要としており、および、その場合ですら衣服は到着するとプレスする必要がある場合があった。本発明の目的は、運送の間、例えば、ブリーフケース、リュックサック、又は旅行用ケース中で衣服の体裁状態を保存するのに適している衣服運送装置を提供することである。
【課題を解決するための手段】
【０００４】
本発明の１つの態様は、輸送の間、衣服の仕上がりを保存するための衣服形成器（former）を提供することであり、形成器は、その周りに衣服が巻き付けられてもよい実質的に平面的な本体を含み、本体は、１対の概して対向する端を有し、前記対向する端は、形成器の周りに巻き付けられた衣服の布地にしわを引き起こさないように、丸み付けられている。丸み付けられた端は、平行であってもよく、または、それらの長さの方向に収束するようにテーパー付けられていてもよい。
【０００５】
１つの特別な実施形態において、輸送の間、シャツの少なくとも前部の仕上がりを保存するためのシャツ形成器が提供され、シャツ形成器は、シャツがその周りに巻き付けられまたは折り畳まれてもよい本体部分を含み、本体部分は、上下端、および対向する側端、ならびにシャツの襟の中に受容されるのに適した襟支持体を有し、襟支持体は、本体部分の上端から延び、およびここで、本体部分の対向する側端は、側端の周りに折り畳まれるシャツがそれによってしわにならないような外部曲率半径を示すように、実質的に円筒形状に形成されている。対向する側端は、平行であってもよく、または襟支持体に向かう方向に分岐していてもよい。
【０００６】
形成器の周りに巻き付けられる衣服の布地にしわを引き起こさないように丸み付けられている対向する端と同様に、該側端の間に延びる下端もまた、有利には、形成器のこの端の周りに巻き付けられる衣服の布地にしわを引き起こさないように、丸み付けられている。
【０００７】
本発明の第２の態様は、上述のような衣服形成器と、衣服形成器を受容するのに適する容器とを含む衣服運送組立品を提供し、容器は、衣服および形成器が容器内に設置されたときに、衣服の少なくとも一部を覆うのに適した剛体の側壁を有する。
【０００８】
１つの実施形態において、端の線が衣服にしわをつけることなく衣服が形成器の周りに巻き付けられることができるように、衣服運送組立品は、２つの向かい合った端に拡大された半径の端の線を備えて形成された、概して長方形の平面的な形状の、実質的に剛体の形成器を含む。そのような形成器は、シャツ、ブラウス、スカート、またはズボンのような衣服を支持するために使用されてもよい。
【０００９】
衣服運送装置は、さらに、形成器およびその上に巻き付けられた衣服または衣服類を受容する保護容器を含み、保護容器は、好ましくは、衣服の少なくとも一部を外圧によるしわ発生から保護するための少なくとも１つの概して剛体の平面的な面を有する。保護容器またはケーシングは、実質的に剛体の材料で全体的に形成されていてもよく、または、可撓性（flexible）または弾力性（resilient）の材料で部分的または全体的に形成されていてもよい。
【００１０】
衣服形成器は、容器内の所定の位置に形成器を位置付けるように、容器の内面の相補的な構造（formation）と協働可能な位置付け手段が設けられていてもよい。本発明の実施形態を、以下、添付図面を参照して詳細に説明する。
【図面の簡単な説明】
【００１１】
【図１】リュックサック内での使用のための、保護用ケーシングを備える衣服運送装置の斜視図である。
【図２】形成器の周りにシャツを巻き付ける際の中間段階を示す図である。
【図３】形成器および着脱可能な襟ストラップの概略的な斜視図である。
【図４】衣服運送装置のための保護用ケーシングの概略的な斜視図である。
【図５】形成器の別の実施形態を示す図である。
【図６】形成器のさらに別の実施形態の斜視図である。
【図７】形成器のさらに別の実施形態の端面図である。
【図８】形成器にシャツを固定する別の方法を示す、形成器およびシャツの後部からの斜視図である。
【図９】ケーシングの別の形状の概略的な斜視図である。
【図１０】回転する維持アームに関する別の位置を示す、衣服形成器の後部の斜視図である。
【図１１】回転する維持アームに関する別の位置を示す、衣服形成器の後部の斜視図である。
【発明を実施するための形態】
【００１２】
ここで図面を参照して、図１および２は、シャツおよびブラウスを運送するのに適する衣服運送装置１の実施形態を説明する。この実施形態において、シャツまたはブラウス２は形成器３の周りに巻き付けられ、および次いで剛体の保護容器４内に設置される。剛体の保護容器４は、次いで、リュックサック５の専用の区画の中に受容されるか、または単純に、他の内容物と共にリュックサック５の中に設置される。装置は、リュックサックと共に使用されるように説明されているが、保護容器４は、任意の適当な形状であってもよく、およびスーツケース、手押し車（trolley case）または他の旅行かばん内での使用に適していてもよい。
【００１３】
図３は、装置内での使用のための形成器３の実施形態を説明する。形成器は、薄い金属板、プラスチックのシート材料、カード材料、またはプラスチックの発泡体のような、弾力性だが硬いシート材料で製造されている。形成器３は、シャツまたはブラウスの大抵の寸法に対応するように、およそ１８から３０ｃｍの幅および２５から４５ｃｍの長さであってもよい、概して長方形の中央領域６を含む。中央領域６の１つの端は、襟支持体７であり、図２に示されるように、シャツまたはブラウスの襟の後部の内側に適合するように寸法付けられている。形成器は、シャツまたはブラウスの異なる寸法に適合するように、異なる寸法で製造されていてもよい。
【００１４】
中央領域６の他の３つの端は、シート材料を管状の形状に巻くことによる管状の端ロールを備えていてもよい。側端ロール８および９は、互いに対して実質的に平行に、および襟支持体７から離れて延び、および下端ロール１０は、襟支持体７から離れて形成器の端に沿って延びる。端ロールは、好ましくは、１．５ｃｍから５ｃｍの外径を有して形成される。
【００１５】
襟支持体７に隣接する中央領域６の領域において、保持クリップ１１は、形成器の材料から切り取られ（struck）、および中央領域６の平面から出て背面に向かってわずかに上方に（図に見られるように）曲げられている。
【００１６】
例示される実施形態において、襟支持体７は、１対のスリット１２ａおよび１２ｂを含み、これらを通して、細長い可撓性ではあるが弾力性の襟ストラップ１３を通していてもよい。襟ストラップ１３の１つの長端は、標準的な襟寸法に相当する所定の間隔で切り欠き１４を備えて形成されている。襟ストラップ１３を襟支持体７に取り付けるために、襟ストラップ１３の１つの端は、スリット１２ａを通して上方に通され、次いで、ストラップは、丸く曲げられ、および端は、スリット１２ｂを通って下方に通され、およびストラップは、スリット１２ａおよび１２ｂが襟ストラップの中央部と係合するように、引き通される。あるいはまた、襟ストラップ１３は、溶接または接着により襟支持体７に恒久的に取り付けられていてもよく、またはスタッドまたはフック・アンド・ループファスナーを用いて襟支持体７に着脱可能に固定されていてもよい。さらに別の可能性（例示されていない)において、襟支持体７は、襟の形状に丸く湾曲した側方に延びる部分を有していてもよく、これらの部分は任意選択的に弾力性である。 
図４は、衣服２および形成器３がその中に受容される剛体の容器４を概略的に説明する。この実施形態においては、容器は、側壁１６、底部１７および開口端１９を有する、横断面が実質的に楕円の円筒状の本体１５を含む。蓋１８は、容器の開口端１９を閉鎖するように、側壁１６の上端と係合可能である。容器の底部１７は１対のクッション性ブロック２０を含み、衣服２および形成器３は容器内にあるときにその上に置かれ、形成器３を適所に位置付ける。また、側壁１６は、運搬ストラップまたは他の支持構造がそれに対して取り付けられることができる、ブラケットまたはフック２１のような取付手段を備えていてもよい。フック２１は、容器を例えば自転車またはオートバイの手荷物台に対して取り付けるのに適していてもよい。
【００１７】
クッション性ブロック２０とは別に、またはクッション性ブロック２０に加えて、形成器３は、形成器３を容器内の所望の位置に支持するように容器本体１５の内側表面の相補的な構造に固定するための取付装置（不図示）を備えていてもよい。取付装置は、形成器３が折り畳まれた衣服を有するときに露出されるように、保持クリップ１１から形成され、または保持クリップ１１に固定されていてもよい。衣服運送装置を使用してシャツ（またはブラウス）を運送するために、シャツまたはブラウスは、好ましくは、最初にアイロンがけられまたはプレスされ、および衣服の前面（または背面）のどのボタンも留められる。襟は、その通常の着用構成に折り畳まれ、およびシャツは、平面上に、衣服の前面を下方にして広げられる。
【００１８】
形成器３は、次いで、シャツの後部の上に、襟支持体７が襟の後部内に延び、および中央領域６がシャツの後部上に平らにある状態で、置かれる。襟ストラップ１３（備えている場合）は、２つの切り欠き１４が襟ストラップ１３を適所に保持するために襟ボタンに合わせて設置された状態で、襟の中にあるように配置される。
【００１９】
シャツの１つの側は、次いで、袖が側端ロール９を越えて延びている状態で、中央領域６を覆うように、側端ロール８の周りに引き付けられる。袖は、次いで、袖の長さが側端ロール８および９の間にあるように、複数の折りで折り畳まれる。
【００２０】
シャツ他の側は、次いで、第２の袖が側端ロール９を越えて延びている状態で、中央領域６を覆うように、側端ロール９の周りに引き付けられる。第２の袖は、次いで、袖の長さが側端ロール８および９の間にあるように、複数の折りで折り畳まれる。ここで、中央領域６は、側端ロール８および９の間に２つの袖が折り畳まれた状態で、その上を覆うシャツの２つの側領域を有する。ユーザーは、次いで、シャツの下端（テール）をつかみ、およびそれを下端ロール１０の周りに上方に折り畳む。この結果、シャツの下側の前面は露出され、および中央領域６上のシャツの折り畳まれた部分を覆う。シャツのテールは、次いで、保持クリップ１１内に注意深く押し込まれてもよく、これは、次いで、折り畳まれたシャツまたはブラウスを形成器の適所に保持する。
【００２１】
シャツおよび形成器は、次いで、下端ロール１０が支持ブロック２０上にある状態で、容器４の本体１５内へ配置される。支持ブロックは、好ましくは、下端ロール１０およびブロック２０間のシャツ材料にしわを作り出さないように、柔らかい弾力性発泡材料で形成される。
【００２２】
組立品は、容器本体１５の開口端１９を閉鎖するための蓋１８を適用することにより完成する。また、蓋は、形成器３の上端と係合するための内部のクッション性ブロックを有していてもよい。図１に見られる実施形態において、容器４は、下方に先細り、および形成器３は、容器４の先細り側の間でぴったりと合うように、同様にテーパー付けられていてもよい。容器４は、次いで、運送のために、リュックサックまたは他の運搬ケースに設置される。
【００２３】
目的地に到着すると、蓋１８は取り除かれ、および、シャツ２および形成器３は、形成器３からシャツ２が注意深く巻き解かれることができるように、前に述べたプロセスを反転して、容器本体１５から取り出される。シャツまたはブラウスの胸部領域の土台となる形成器の実質的に剛体の中央領域６は、運送の間、シャツのこの領域をしわが無いまま維持する。衣服の袖およびテールに仕上がりの多少のロスが予期されるが、これらの領域におけるわずかなしわの発生は概して顕著でなく、および衣服の見栄えの質は保たれる。
【００２４】
図５は、衣服形成器のための別の構成を説明する。この構成において、形成器は、横断面が楕円の形状の側壁３１を有する概して中空の管状の本体３０を有し、本体の壁の延長としてかまたは本体の壁に取り付けられる別個の構成要素とのいずれかとして、管状の本体１３の１つの端から延びる襟支持体３７を供える。襟支持体３７に対向する本体３０の壁の中において、保持クリップ３８は、本体の側壁３１の厚みから切り取られていてもよい。襟支持体３７から遠く離れた本体３０の端で、本体は、凸状に湾曲した底部によって閉鎖されていてもよい。
【００２５】
図５に示される形成器は、図３のものと同様に使用され、形成器は、襟支持体３７がシャツの襟の後部の内側にあり、およびシャツの側部が次いで管状の本体３０上に折り畳まれている状態で設置される。本体の滑らかに湾曲した輪郭は、この折り畳みが衣服にしわ発生を引き起こすことを防止する。１３のような襟ストラップは、図３の実施形態に関連して説明されたようなスリットの使用によって、またはバリ型留め具（fastener）のような解除可能な留め具によって、または接着剤または溶接によるような恒久的な固定によって、のいずれかによって襟支持体３７に対して取り付けられていてもよい。形成器のこの実施形態において、管状の本体３０は、その周りにシャツまたは他の衣服を巻き付ける前に、本体３０内に配置されてもよいカフスボタン、洗面道具、または衣服のような小物のための容器として役立ってもよい。
【００２６】
図６および７は、それぞれ、形成器のさらなる実施形態の斜視図および端面図である。この実施形態において、形成器は、剛体材料の実質的に長方形の平板４０を含み、平板４０の１つの端は、幅が低減されて、平板４０の１つの端から延びる襟支持体４２を形成する。平板の側部に沿って、衣服がその周りにしわにならずに折り畳まれることができる曲率半径を提供する弾力性の円筒状のロールが平板に取り付けられる。弾力性の可撓性材料の襟ストラップ４５は、襟支持体４２に取り付けられる。この実施形態において、襟ストラップ４５の１つの端は、フックおよびループ留め具のうちの１つの部分４６をその外側の面に備え、一方、襟ストラップ４５の他の端は、フックおよびループ留め具のうちの相補的な部分４６ｂをその内側の面に備える。襟ストラップ４５は、したがって、襟の正しい寸法に調整され、および留め具の相補的な部分４６ａおよび４６ｂを係合することによって、固定されてもよい。 この実施形態において、平板４０は、金属またはプラスチック材料製であってもよく、一方、弾力性の円筒状のロール４３および４４は、発泡プラスチック材料、気泡ゴム、または他の弾力性の材料から形成されていてもよい。形成器の操作は、実質的に上述のとおりであり、形成器は、シャツの後部に設置され、襟支持体４２および襟ストラップ４５がシャツの襟の中に配置され、および袖は、次いで、形成器の周りに後に引き付けられ、および最後にテールは、形成器の底部の周りに上方に折り畳まれる。襟支持体４２から遠く離れた平板４０の端がシャツにしわをつけることを回避するために、さらなる弾力性の端ロール（不図示）が平板４０のこの端に沿って延びるように提供されていてもよい。もし平板４０が磁性材料製であるならば、シャツのテールおよび折り畳まれた部分は、シャツのテールを平板に引き付けるための磁石（不図示）を適用することによって、適所に保持されていてもよい。あるいはまた、衣服を形成器上の適所に固定するための手段を提供するために、弾力性クリップが平板の材料から切り取られていてもよく、または蝶番で連結されるクリップが平板に取り付けられていてもよい。
【００２７】
図６および７に示されるものに類似するさらなる実施形態において、弾力性ロール４３および４４は、膨張式空気室（単数または複数）によって置き換えられて、形成器が出荷または貯蔵のために空気室を収縮させることによって平らに荷造りされることを可能にしてもよい。形成器が使用されるようになるとき、ユーザーは、空気室（単数または複数）を手動で膨張させて、衣服のしわなし折り畳みを提供するのに必要な曲率半径を提供することができる。
【００２８】
図８に例示されるシャツまたはブラウスを形成器に固定するためのさらに別の手段において、形成器は、襟支持体７に取り付けられまたは襟支持体７と隣接し、およびシャツを形成器上に折り畳むときに最上部である中央区域６の後面に沿って下方に（図に示されるように）延びる、ストラップ５０を備えていてもよい。
【００２９】
ストラップは、その自由端にまたはその自由端の近くに、例えば、ストラップがその中でシャツまたはブラウスのボタンと係合することができるボタン穴５１を提供することによって、シャツテールに対してストラップを固定するための手段を備える。ストラップは、伸縮性があってもよく、および複数のボタン穴を備えていてもよい。あるいはまた、ストラップは、その自由端にシャツの縁を係合するクリップ （不図示）を含んでいてもよい。
【００３０】
上述のようにシャツまたはブラウスが形成器上に折り畳まれると、ストラップ５０は、シャツのテールを越えて引き下ろされ、および、シャツを適所に維持するために、好ましくはストラップ５０にわずかな張力を伴って、シャツのボタンに固定される。ストラップ５０は、保持クリップ１１と二者択一的に、または保持クリップ１１に加えて提供されていてもよい。
【００３１】
図１０および１１に示される、シャツまたはブラウスを形成器に固定するためのさらに別の手段において、保持クリップは、形成器の別個の構成要素であってもよい。この実施形態において、形成器は、前述同様に、襟支持体７を備える本体６を含み、本体６は、そのより長い側に沿って延びる湾曲した端ロール部分８および９、および襟支持体７に対向するその端に沿って延びる湾曲した下端ロール部分１０を備える細長い長方形の構造体である。この実施形態において、湾曲した端ロール部分８、９および１０は、本体６の３つの側に沿って延びる発泡材料のストリップによって形成される。保持クリップは、アーム１１０の形態で、襟支持体７がその上に形成される本体６の端に隣接しおよび平行な旋回軸Ｘ−Ｘの周りを旋回できるように、形成器の本体６に据え付けられる。アーム１１０は、アーム１１０が形成器の中央区域の後面に沿って襟支持体７に対向する端１０に延びる図１０に示される引込位置から、アーム１１０がその中で襟支持体７を越えて上方に延びる図１１に示される引起位置までの、揺動運動のために据え付けられる。アーム１１０と本体６との間の旋回性結合部は、アーム１１０が一旦そこに配置されたら引起位置にあるままであるが、しかし、少なくともアームが図１０に示される引込位置内にまたは引込位置の近くにある場合は、引込位置に向かって弾力性的に偏向されているようであってもよい。
【００３２】
シャツまたはブラウスを形成器に設置するために、シャツは、上述のように、前面を下方に置かれ、および形成器の本体６がシャツの後部を覆うように、形成器の襟支持体７は襟の背面の内側に配置される。アーム１１０は、それが襟を越えて延び、形成器の本体６の後面を露出するように、旋回して上昇する。シャツの袖は、次いで、前述のように、形成器の上で折り畳まれ、およびシャツのテールは、形成器の下端の周りに上方に折り畳まれる。アーム１１０は、次いで、下方に旋回して、折り畳まれたシャツのテールを覆い、アームの弾力性は、シャツを形成器の適所に保つ。 
本実施形態における旋回アームは、その自由端にフック１１１を備えて形成され、アームが図１１に示す延ばされた位置にあるときに、形成器が衣服のためのハンガーとして役立つことを可能にする。形成器を、アーム１１０が衣服の首部を通って広がった状態で、衣服の内側に配置することによって、襟支持体７に隣接する形成器の端は、衣服の肩ヨークの内面と係合し、フック１１１は、衣服をレールのようなものに吊るすために使用されてもよい。
【００３３】
図９は、衣服２を包みこむための容器４および運送のための形成器３の別の形態を示す。この実施形態において、容器は、管状であり、底部または蓋のいずれも有さないが、しかし、概して楕円の区域の側壁５２を単純に含む。側部は、より大きい端で導入された衣服および形成器が、側壁の内側と係合することによって容器４内に位置付けられるように、軸方向にテーパー付けられていてもよい。例示される実施形態において、側壁５２は、連続的ではないが、しかし、弾性織物材料から形成される区域５３を有する。使用中に、形成器は、シャツの前面が形成器と可撓性区域５３に対向する側壁５２の区域５４との間に保持されるように、容器内に配置される。
【００３４】
容器のさらに別の形態において、容器は、全体的に織物材料から製造されていてもよく、および形成器上の衣服と密接に係合するために伸縮性があってもよい。衣服にさらなる保護を提供するために、織物は、耐水性または防水性であってもよい。
【００３５】
図１に関連して記載された実施形態は、容器４がリュックサック５内に受容されるように寸法付けられていることを示すことは理解されよう。容器４は、任意の旅行用ケース内に適合するように成形されていてもよく、および特に好都合な実施形態において、旅行用ケースは、容器を受容する専用の区画を備えていてもよい。区画は、ケースの外側から別個のアクセスを有し、ケースの他の内容物を露出することなく容器４が挿入されおよび／または取り除かれること、およびその逆を同様に、可能にしてもよい。
【００３６】
容器４は、剛体の防水性材料製であってもよく、および運搬台または自転車に据え付けられる他の構造に対して容器を直接的に取り付けるための荷かごフックのような外部取付手段の提供によって、自転車による運送に適していてもよい。
【００３７】
形成器３および容器４の別の実施形態において、ズボンおよびスカートのような運送するアイテムを対象として、形成器は、折り畳まれた１対のズボンまたは折り畳まれたスカートが、形成器３の周りに巻き付けられ、および運送のための容器４内に配置されることができるように、丸み付けられた対向する端を有する中央本体を含んでいてもよい。形成器の中央本体は、金属またはプラスチック材料のシートであってもよく、丸み付けられた端は、本体のシート材料の端領域を巻くことにより形成される。あるいはまた、本体は、湾曲した側壁によって隣接する端で結合される前壁および後壁を有する管状の構造であってもよい。さらに別の可能性において、本体は、丸み付けられた側面を備える軽量材料のブロックであってもよい。
【図１】
2013506477.tif 000003
【図２】
2013506477.tif 000004
【図３】
2013506477.tif 000005
【図４】
2013506477.tif 000006
【図５】
2013506477.tif 000007
【図６】
2013506477.tif 000008
【図７】
2013506477.tif 000009
【図８】
2013506477.tif 000010
【図９】
2013506477.tif 000011
【図１０】
2013506477.tif 000012
【図１１】
2013506477.tif 000013
【国際調査報告】
2013506477.tif 000014
2013506477.tif 000015
2013506477.tif 000016